(57)【要約】【課題】  交換局側の音声パス切替タイミングのばらつきに左右されることなく、無音時間を最適化することを可能にする。【解決手段】  通話中の音声パスを有する切替元基地局との通信接続を維持しながら、当該音声パスの切替先基地局と通信接続し（ステップＳ１、Ｓ２）、受信データから音声を検出し、該音声検出の結果に基づいて、切替元基地局から前記切替先基地局へ音声パスを切り替える（ステップＳ４、Ｓ５）。【選択図】    図２
2005244855.tif 000002
【特許請求の範囲】
【請求項１】
通話中の音声パスを有する切替元基地局との通信接続を維持しながら、当該音声パスの切替先基地局と通信接続することが可能な無線通信手段と、
前記無線通信手段により受信された受信データから音声を検出する音声検出手段と、
前記音声検出の結果に基づいて、前記切替元基地局から前記切替先基地局へ前記音声パスを切り替える制御手段と、
を備えたことを特徴とする移動通信端末。
【請求項２】
前記制御手段は、前記切替先基地局の受信データから音声検出された場合、前記音声パスの切り替えを行うことを特徴とする請求項１に記載の移動通信端末。
【請求項３】
所定時間を計時するタイマを備え、
前記制御手段は、通話中の音声パスの切り替えが可能な状態になった時点で前記タイマを起動し、前記タイマのタイムアウトした場合において前記切替元基地局の受信データから音声検出されないときは、前記音声パスの切り替えを行うことを特徴とする請求項２に記載の移動通信端末。
【請求項４】
無線通信手段と音声検出手段と制御手段とを備えた移動通信端末における音声パス切替方法であって、
前記無線通信手段が、通話中の音声パスを有する切替元基地局との通信接続を維持しながら、当該音声パスの切替先基地局と通信接続する過程と、
前記音声検出手段が、前記無線通信手段により受信された受信データから音声を検出する過程と、
前記制御手段が、前記音声検出の結果に基づいて、前記切替元基地局から前記切替先基地局へ前記音声パスを切り替える過程と、
を含むことを特徴とする音声パス切替方法。
【請求項５】
前記制御手段は、前記切替先基地局の受信データから音声検出された場合、前記音声パスの切り替えを行うことを特徴とする請求項４に記載の音声パス切替方法。
【請求項６】
前記移動通信端末は所定時間を計時するタイマを備えており、
前記制御手段が、通話中の音声パスの切り替えが可能な状態になった時点で前記タイマを起動する過程をさらに含み、
前記制御手段は、前記タイマのタイムアウトした場合において前記切替元基地局の受信データから音声検出されないときは、前記音声パスの切り替えを行うことを特徴とする請求項５に記載の音声パス切替方法。
【発明の詳細な説明】
【技術分野】
【０００１】
本発明は、移動通信端末及び音声パス切替方法に関する。
【背景技術】
【０００２】
従来、ＰＨＳ（Personal Handyphone System）と呼ばれる簡易型携帯電話システムが実現され広く普及している。このシステムにおいて、携帯端末（移動通信端末）は、通信中の基地局の通話ゾーンから移動した場合や通信品質が劣化した場合に、ハンドオーバやチャネル切替などを行って、より高い通信品質を確保することができる基地局、チャネルに再接続する。この基地局への再接続を行う場合、通常、音声パス切り替えに要する時間などにより無音時間が発生する。この無音時間を短縮することを目的として、携帯端末は高速ハンドオーバ機能を備えている。
【０００３】
図３は、従来の高速ハンドオーバ機能を説明するためのシーケンス図である。この高速ハンドオーバ機能では、現在通信中の基地局（切替元基地局）との通信接続を維持しながら、新たな基地局（切替先基地局）に接続して音声パスを切り替えることにより、無音時間の短縮を図っている。このため、携帯端末は、同時に複数の基地局との間で通信接続する機能を有する（シームレス端末）。
【０００４】
図３に示されるように、携帯端末は、高速ハンドオーバ起動後、切替元基地局との通信接続を維持しながら切替先基地局との通信接続を行う。そして、Ｌａｙｅｒ２同期解放により切替先基地局を経由する音声パスを確立することができる状態となるので、この時点で音声パス切替タイマを起動し、このタイムアウト時点で音声パスを切替元基地局経由から切替先基地局経由へと切り替える。一方、交換局は、自己のタイミングで切替元基地局経由から切替先基地局経由へと携帯端末との間の音声パスの切替を行う。ここで、携帯端末の音声パス切替タイマのタイムアウト時間は交換局の切替に要する時間を考慮して設定されているので、交換局が音声パスを切り替えるタイミングと、携帯端末が音声パスを切り替えるタイミングとがうまく一致すれば無音時間を最適化できる。
【０００５】
また、通話中の無音時間に対処する方法として、通話中の音声データを携帯端末内のＦＩＦＯメモリに蓄積し、ハンドオーバ期間中には該蓄積された音声データを再生するものが知られている（例えば、特許文献１参照）。
【特許文献１】特開２００１−４５５６０号公報
【発明の開示】
【発明が解決しようとする課題】
【０００６】
しかし、上述した従来の技術では、無音時間が最適化されないという問題が生じる。
上記図３の従来の高速ハンドオーバ機能では、携帯端末の音声パス切替タイマによる音声パス切替タイミングが交換局の音声パス切替タイミングにうまく一致すればよいが、実際には各交換局によって音声パス切替タイミングが異なるので、それぞれの交換局との間で音声パスを切り替える際には無音時間にばらつきが発生する。図４には、交換局の音声パス切替タイミングが携帯端末のタイミングよりも前にずれた場合が示されている。この場合、交換局の音声パス切替が完了してから携帯端末の音声パス切替タイミングまでの期間が、余分な無音時間となる。図５には、交換局の音声パス切替タイミングが携帯端末のタイミングよりも後にずれた場合が示されている。この場合、携帯端末が音声パスを切り替えてから交換局が音声パス切替を開始するまでの期間が、余分な無音時間となる。
【０００７】
また、通話中の音声データを蓄積して使用する方法では、ハンドオーバが終了するまで蓄積データが再生されるので、無音に対する違和感や不快感を軽減することはできるが、通話不可能な時間は変わらないので実質的に無音時間は短縮されない。
【０００８】
本発明は、このような事情を考慮してなされたもので、その目的は、交換局側の音声パス切替タイミングのばらつきに左右されることなく、無音時間を最適化することができる移動通信端末及び音声パス切替方法を提供することにある。
【課題を解決するための手段】
【０００９】
上記の課題を解決するために、本発明に係る移動通信端末は、通話中の音声パスを有する切替元基地局との通信接続を維持しながら、当該音声パスの切替先基地局と通信接続することが可能な無線通信手段と、前記無線通信手段により受信された受信データから音声を検出する音声検出手段と、前記音声検出の結果に基づいて、前記切替元基地局から前記切替先基地局へ前記音声パスを切り替える制御手段とを備えたことを特徴としている。
【００１０】
本発明に係る移動通信端末においては、前記制御手段は、前記切替先基地局の受信データから音声検出された場合、前記音声パスの切り替えを行うことを特徴とする。
【００１１】
本発明に係る移動通信端末においては、所定時間を計時するタイマを備え、前記制御手段は、通話中の音声パスの切り替えが可能な状態になった時点で前記タイマを起動し、前記タイマのタイムアウトした場合において前記切替元基地局の受信データから音声検出されないときは、前記音声パスの切り替えを行うことを特徴とする。
【００１２】
本発明に係る音声パス切替方法は、無線通信手段と音声検出手段と制御手段とを備えた移動通信端末における音声パス切替方法であって、前記無線通信手段が、通話中の音声パスを有する切替元基地局との通信接続を維持しながら、当該音声パスの切替先基地局と通信接続する過程と、前記音声検出手段が、前記無線通信手段により受信された受信データから音声を検出する過程と、前記制御手段が、前記音声検出の結果に基づいて、前記切替元基地局から前記切替先基地局へ前記音声パスを切り替える過程とを含むことを特徴とする。
【００１３】
本発明に係る音声パス切替方法においては、前記制御手段は、前記切替先基地局の受信データから音声検出された場合、前記音声パスの切り替えを行うことを特徴とする。
【００１４】
本発明に係る音声パス切替方法においては、前記移動通信端末は所定時間を計時するタイマを備えており、前記制御手段が、通話中の音声パスの切り替えが可能な状態になった時点で前記タイマを起動する過程をさらに含み、前記制御手段は、前記タイマのタイムアウトした場合において前記切替元基地局の受信データから音声検出されないときは、前記音声パスの切り替えを行うことを特徴とする。
【発明の効果】
【００１５】
本発明によれば、切替元基地局又は切替先基地局からの受信データから音声検出することにより、実際の音声パスの現状に即した音声パス切替を行うことができる。これにより、交換局側の音声パス切替タイミングのばらつきに左右されることなく、無音時間を最適化することができる。
【発明を実施するための最良の形態】
【００１６】
以下、図面を参照し、本発明の一実施形態について説明する。
図１は、本発明の一実施形態に係る携帯端末１（移動通信端末）の構成を示すブロック図である。図１において、制御部１１は、ＣＰＵ、メモリ等から構成されており、携帯端末１の各部を制御する。操作部１２は、電話番号等の入力用のテンキー、各種ファンクションキー等を有する。操作部１２は、入力されたデータを制御部１１へ出力する。表示部１３は、液晶表示パネル等の表示パネルと表示制御回路を有する。表示部１３には、制御部１１から表示データが入力される。
【００１７】
無線部１４は、アンテナ１５を介して基地局との間で無線信号を送受信し、音声通話又はデータ通信を行う。音声制御部１６は、無線部１４を介して送受される音声を処理する。マイク１７は、制御部１１を介して音声制御部１６に音声を入力する。スピーカ１８は、音声制御部１６により処理された通話音声等を制御部１１を介して受け取り出力する。
【００１８】
上記携帯端末１は、同時に複数の基地局との間で通信接続する機能を有する（シームレス端末）。また、音声制御部１６は、無線部１４を介して基地局から受信した受信データを解析し、有音／無音を検出する機能を有する。制御部１１は、高速ハンドオーバ機能を有し、音声制御部１６の有音／無音検出結果などに基づいて音声パスの切替を制御する。
【００１９】
次に、図２を参照して、上記携帯端末１が音声パスを切り替える動作を説明する。図２は、上記制御部１１の音声パス切替に係る処理フロー図である。
図２において、携帯端末１は、基地局（切替元基地局）と通信接続し、当該基地局を経由する音声パスを使用して通話中である。そして、ハンドオーバが起動されると、制御部１１は高速ハンドオーバ処理を開始する（ステップＳ１）。
【００２０】
次いで、制御部１１は、上記図３に示される従来の高速ハンドオーバ処理と同様に、現在通信中である切替元基地局との通信接続を維持しながら切替先基地局との通信接続を行う。そして、Ｌａｙｅｒ２同期解放により切替先基地局を経由する音声パスを確立することができる状態となると、この時点で音声パス切替タイマを起動する（ステップＳ２、Ｓ３）。また、音声制御部１６は、切替元基地局及び切替先基地局から各々受信した受信データを解析して有音／無音の検出を行い、この検出結果を制御部１１へ通知する。
【００２１】
次いで、制御部１１は、音声制御部１６により切替先基地局の受信データから有音検出された場合（ステップＳ４、ＹＥＳ）、音声パスが切替先基地局を経由するように交換局により切り替えられたと判断できるので、音声パス切替タイマのタイムアウト前であったとしても、いち早く音声パスを切替元基地局から切替先基地局へ切り替える（ステップＳ５）。一方、音声制御部１６により切替先基地局の受信データから有音検出されない場合（ステップＳ４、ＮＯ）、音声パス切替タイマのタイムアウトの有無を確認する（ステップＳ６）。
【００２２】
次いで、タイムアウトなしの場合には上記ステップＳ４に戻る。一方、タイムアウトありの場合には、音声制御部１６により切替元基地局の受信データから有音検出されたか否かを確認する（ステップＳ７）。この確認の結果、有音検出ありの場合、音声パス切替タイマはタイムアウトしているが、未だ音声パスが切替元基地局を経由していると判断できるので、音声パスの切り替えは待つこととし、上記ステップＳ４に戻る。一方、有音検出なしの場合には、音声パスを切替元基地局から切替先基地局へ切り替える（ステップＳ５）。
【００２３】
なお、上記した実施例では、音声検出として有音検出を用いたが、無音検出をもちいてもよい。この場合には、上記実施例において有音検出ありを無音検出なしと読み替え、有音検出なしを無音検出ありと読み替える。
【００２４】
上述した実施形態によれば、切替元基地局及び切替先基地局からの各々の受信データから音声検出することにより、実際の通話音声が未だ切替元基地局経由のパスで伝送されているのか、或いは既に切替先基地局経由のパスで伝送されるようになっているのかを認識する。これにより、実際の音声パスの現状に即した音声パス切替を行うことができるので、交換局側の音声パス切替タイミングのばらつきに左右されることなく、無音時間を最適化することができる。
【００２５】
また、音声パス切替タイマを併用し、該タイマのタイムアウトした場合において切替元基地局の受信データから音声検出されないときは、音声パスの切り替えを行うので、音声パスが切替先基地局経由に切り替わっているが有音検出されないために音声パスが切り替わらないことを防止することができる。これにより、音声パス切替の信頼性が向上する。
【００２６】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００２７】
【図１】本発明の一実施形態に係る携帯端末１（移動通信端末）の構成を示すブロック図である。
【図２】図１に示す制御部１１の音声パス切替に係る処理フロー図である。
【図３】従来の高速ハンドオーバ機能を説明するためのシーケンス図である。
【図４】従来の高速ハンドオーバ機能の問題点を説明するためのシーケンス図である。
【図５】従来の高速ハンドオーバ機能の問題点を説明するためのシーケンス図である。
【符号の説明】
【００２８】
１…携帯端末（移動通信端末）、１１…制御部、１２…操作部、１３…表示部、１４…無線部、１５…アンテナ、１６…音声制御部、１７…マイク、１８…スピーカ。
【図１】
2005244855.tif 000003
【図２】
2005244855.tif 000004
【図３】
2005244855.tif 000005
【図４】
2005244855.tif 000006
【図５】
2005244855.tif 000007